(57)【要約】  【課題】遊技施設で遊技者が獲得した遊技媒体の重量を測定してその数量を表示する遊技媒体数量表示システム、及び遊技媒体測定装置、同方法を提供する。  【解決手段】多数の遊技媒体を収納した遊技媒体収納容器５を複数搭載して総重量を測定する重量測定部２５と、前記重量測定結果から遊技媒体の数量を演算して表示する表示部３０と、重量測定部２５と表示部３０とを取り付ける保持部とから構成される。前記保持部は、複数の遊技媒体収納容器５を搭載して保管、搬送する簡易台車の操作ハンドル部２１とすることができる。表示部３０には、測定された遊技媒体の数量が一定の値を越えた場合に動作するイルミネーション３２や、一定の値だけ減量した場合に動作する警告装置３３を備えることができる。重量測定部２５と表示部３０とを無線交信手段で結び、表示部３０を遊技者が遊技中の遊技台に取り付けても良い。  【選択図】図１
2008029802.tif 000002
【特許請求の範囲】
【請求項１】
遊技施設内で遊技者が獲得した遊技媒体の数量を算出して表示する遊技媒体数量表示システムであって、
収納容器を搭載する簡易台車に搭載された複数の収納容器および当該収納容器内に収納された遊技媒体の総重量を測定する重量測定部と、
前記重量測定部による測定結果を基にして前記収納容器内に収納された遊技媒体の数量を少なくとも概数で表示する表示部とから構成されていることを特徴とする遊技媒体数量表示システム。
【請求項２】
前記重量測定部と前記表示部とが無線交信手段で結ばれ、前記表示部が、前記簡易台車、または前記簡易台車に搭載された遊技媒体を獲得した遊技者が遊技中の遊技台のいずれかに着脱可能であることを特徴とする、請求項１に記載の遊技媒体数量表示システム。
【請求項３】
前記重量測定部と前記表示部とが無線交信手段で結ばれ、前記表示部が、前記遊技媒体の数量と共に他の遊技者が獲得した遊技媒体の数量も併せて表示する一覧性のある表示パネルであることを特徴とする、請求項１に記載の遊技媒体数量表示システム。
【請求項４】
前記表示部が、表示される遊技媒体の数量が一定の値を越えた場合に動作するイルミネーション装置、または遊技媒体の数量が一定の値だけ減少した場合に動作するアラーム装置のいずれかをさらに備えていることを特徴とする、請求項１に記載の遊技媒体数量表示システム。
【請求項５】
遊技施設内で遊技者が獲得した遊技媒体の数量を算出して表示する遊技媒体数量測定装置であって、
遊技媒体を収納した複数の収納容器を搭載して総重量を測定する重量測定部と、
前記重量測定部による測定結果を基に当該遊技媒体の数量を少なくとも概数で算出して表示する表示部と、から構成され、
遊技者が獲得した遊技媒体を収納した複数の収納容器を搭載する簡易台車に取り付けられて、当該遊技媒体の数量を少なくとも概数で表示することを特徴とする遊技媒体数量測定装置。
【請求項６】
前記簡易台車を搬送するために当該簡易台車に着脱可能に取り付けられる操作ハンドル部に、前記重量測定部、表示部の少なくともいずれか一方が取り付けられていることを特徴とする、請求項５に記載の遊技媒体数量測定装置。
【請求項７】
複数の車輪を装備して移動可能とした床フレームと、前記床フレームに着脱可能な操作ハンドルとを備え、遊技媒体を収納した収納容器を複数搭載して保管、搬送する遊技媒体用簡易台車において、
前記搭載されている遊技媒体を収納した複数の収納容器の重量を測定する重量測定部と、前記重量部による測定結果を基に当該遊技媒体の数量を少なくとも概数で算出して表示する表示部とをさらに備えていることを特徴とする遊技媒体用簡易台車。
【請求項８】
遊技施設内で遊技者が獲得した遊技媒体の数量を表示するため、前記遊技媒体の概略数量を算出する算出方法であって、
遊技媒体を収納した複数の収納容器の総重量を測定し、
遊技媒体１個当りの重量を使用して前記総重量から遊技媒体の概略数量を算出し、
前記算出結果の内、予め定められた桁以下の桁数をゼロとして表示数量とすること
の各ステップを含むことを特徴とする算出方法。
【請求項９】
前記遊技媒体１個当りの重量を使用して前記総重量から遊技媒体の概略数量を算出するステップが、
前記総重量を遊技媒体１個当たりの重量で除して遊技媒体の仮数量を算出し、
前記収納容器当りの許容収納数量を使用して前記仮数量を収納するために必要な収納容器数を算出し、
前記収納容器数の合計重量に相当する遊技媒体の数量を算出し、
前記遊技媒体の仮数量から前記収納容器数の合計重量に相当する遊技媒体の数量を差し引いて遊技媒体の概略数量とすること、
の各ステップからなることを特徴とする、請求項８に記載の算出方法。
【請求項１０】
前記遊技媒体１個当りの重量を使用して前記総重量から遊技媒体の概略数量を算出するステップが、
前記収納容器当りの許容収納数量を基に、１つの収納容器に収納された遊技媒体の数量を幅で特定し、
前記測定された総重量と、前記幅で特定された１つの収納容器に収納された遊技媒体の数量とから収納容器の数量を幅で算出し、
前記収納容器の数量の幅に基づいて前記総重量から前記複数の収納容器の重量を差し引いた前記遊技媒体のみの重量を幅で算出し、
算出された前記遊技媒体の重量の幅から当該遊技媒体の数量を幅で算出し、
前記遊技媒体の数量の幅の中の有効数値をもって前記遊技媒体の概略数量とすること、
の各ステップからなることを特徴とする、請求項８に記載の算出方法。
【請求項１１】
遊技媒体を収納した前記複数の収納容器を複数の列に積み上げ、前記複数の列ごとに前記遊技媒体の概略数量を算出し、この合計を表示数量とすることを特徴とする、請求項８から請求項１０のいずれか一に記載の算出方法。
【発明の詳細な説明】
【技術分野】
【０００１】
本発明は、パチンコ遊技場、パチスロ遊技場などの遊技施設において、遊技者が獲得して収納容器に収納されたパチンコ玉などの遊技媒体の数量を算出し、表示する遊技媒体数量表示システム、並びに遊技媒体数量測定装置および遊技媒体数量測定方法に関する。
【背景技術】
【０００２】
パチンコ遊技場などの遊技施設において、遊技者が獲得したパチンコ玉などの遊技媒体（以下、「出玉」という。）は、一定の数量に達すると遊技台に設けられた収納スペースでは収納不能となり、別途用意される収納容器（通称「ドル箱」と呼ばれる。）に移し替え、遊技者の足元などに置かれる。出玉の量が更に増加すると、収納容器が追加され、先に置かれていた収納容器の上に積み上げられる。さらに、一定数量の収納容器が積み上げられると、搬送時の便宜のために出玉用の簡易台車が用意され、該簡易台車上にすべての収納容器が積み重ねて置かれる。
【０００３】
図６は、通常使用される収納容器５と、簡易台車１０とを示している。収納容器５は、一般に硬質プラスチック製で、平面が約２０ｃｍ×約４０ｃｍの矩形状、高さが約１０ｃｍの立方体形状で、容器内には約２０００個（防音シートを敷いた場合には約１８００個）の出玉を収納可能である。
【０００４】
簡易台車１０は、同じく一般に硬質プラスチック製で中空平板状の床フレーム１１と、床フレーム１１に固定され、床フレーム１１を移動可能に支持する車輪１５とから構成されている。車輪１５の一部にはキャスター車輪が採用され、搬送時の操作を容易にしている。床フレーム１１には強度を確保するために部分的に金属が使用されるものもある。平板状の床フレーム１１の上には、図示のように通常は収納容器５が２列に配置して積み上げられる。積み上げられる収納容器５の段数は、通常６段（２列の合計で１２個）までとされる。これは高くなり過ぎた場合に重心が上方へ移動して危険になり得ること、さらに遊技者が座る椅子の高さを越えると遊技者が誤って倒すなどの事故が起こり易いからである。但し、昨今ではより搭載能力を増した台車も現れており、たとえば３列×８段（合計で収納容器２４個）まで積み上げ可能としたものも見られる。
【０００５】
床フレーム１１の一辺には、一対の取付け穴１３が空けられ、この取付け穴１３には操作ハンドル１６が着脱可能である。通常は操作ハンドル１６のない状態で床フレーム１１に収納容器５が積み上げられ、必要時に遊技施設の従業員が操作ハンドル１６を取付け穴１３に差し込み、収納容器５を乗せた簡易台車１０の搬送を容易にする。
【０００６】
遊技終了時点には遊技者または従業員が簡易台車１０をカウンタまで搬送し、収納容器に入れられた出玉のみが出玉回収装置に投入されて数量が正確にカウントされ、景品と引き換えられる。しかしながら、遊技者が遊技を継続する間は、出玉を収納した収納容器５は常に遊技者の近くに積み上げられたままの状態で置かれている。
【０００７】
この遊技者の近辺に置かれる出玉を収納した多数の収納容器が積み上げられた状態は、主に２つの積極的な意味合いを有するものと考えられる。まず、遊技者にとっては、遊技によって獲得成果が明瞭に示され、自らの成果を誇示することにつながり、更なる遊技継続意欲が高められる。一方、遊技施設側にとっては、遊技施設がいかに遊技者に対して出玉サービルをしているかを示す機会を提供し、より多くの人が見ることによって遊技への意欲を高揚させることができ、遊技の開始、あるいは遊技の継続を促す恰好の宣伝材料となり得る。
【発明の開示】
【発明が解決しようとする課題】
【０００８】
以上より、遊技者の周囲に積み上げられた収納容器は、遊技者にとっても遊技施設にとっても、積極的に目立ち易い状態としておくことが好ましい。特に、遊技施設の宣伝効果を考えた場合、遊技場の入り口付近においてはより一層目立ち易い状態としておくことが好ましい。しかしながら現状では、上述したように遊技者の近くに収納容器を積み上げたまま置かれるだけで、この積み上げられた状態をより積極的に生かすための工夫は十分にされていなかった。あるとしても、出玉好調をアピールする文言、図柄を表示した厚紙を収納容器に差し込む程度であった。
【０００９】
また、積み上げられた収納容器に収納されている出玉の数量がどれ位あるのかは、遊技者本人にとっても、これを見る他の者にとっても関心事である。しかし、収納容器の数を数えることによって概略出玉数量を把握することはできたとしても、実際にはわざわざそこまでして把握しようとすることは通常されない。また、数量を表示する手段も提供されておらず、結局遊技者自身は大雑把な数量認識しかできず、他の見物する者も、多く出ているとの感触だけを掴むのが限度であった。
【００１０】
さらに、遊技者が遊技に熱中する間に、収納容器ごと盗難の被害に遭うこともあり得た。沢山積み上げられた収納容器の１つが盗難に遭っても、そのような状況を遊技者や遊技施設従業員がたまたま見ていない限り、その事実を認識することは困難であった。場合によっては盗難に遭ったことすらも気付くことなく、盗難の的ともなり得た。
【００１１】
本発明は、上述した状況に鑑み、収納容器に収納された出玉数量を把握して表示し、遊技者、及び他の者に出玉数量の認識を可能にすると共に、盗難の場合にはこれを即座に感知可能とする手段を提供することを目的としている。
【課題を解決するための手段】
【００１２】
本発明は、積み上げられた収納容器ごと出玉総量の重量を測定可能な測定装置を簡易台車に取り付け、前記測定装置による測定結果に基づいて出玉数量を算出し、表示することによって上述した問題を解消するもので、具体的には以下の内容を含む。
【００１３】
すなわち、本発明にかかる１つの態様は、遊技施設内で遊技者が獲得した遊技媒体の数量を算出して表示する遊技媒体数量表示システムであって、収納容器を搭載する簡易台車に搭載された複数の収納容器および当該収納容器内に収納された遊技媒体の総重量を測定する重量測定部と、前記重量測定部による測定結果を基にして前記収納容器内に収納された遊技媒体の数量を少なくとも概数で表示する表示部とから構成されていることを特徴とする遊技媒体数量表示システムに関する。
【００１４】
前記重量測定部と前記表示部とを無線交信手段で結ぶことにより、前記表示部は、前記簡易台車に着脱可能とするか、または当該簡易台車に搭載された遊技媒体を獲得した遊技者が遊技する遊技台など、当該簡易台車以外の箇所に着脱可能とすることができる。
【００１５】
あるいは、前記重量測定部と前記表示部とを無線交信手段で結び、前記表示部を、前記遊技媒体の数量と共に他の遊技者が獲得した遊技媒体の数量も併せて表示する一覧性のある表示パネルとすることもできる。
【００１６】
前記表示部は、表示される遊技媒体の数量が一定の値を越えた場合に動作するイルミネーション装置、または遊技媒体の数量が一定の値だけ急激に減少した場合に動作するアラーム装置を備えてもよい。
【００１７】
本発明にかかる他の態様は、遊技施設内で遊技者が獲得した遊技媒体の数量を算出して表示する遊技媒体数量測定装置であって、遊技媒体を収納した複数の収納容器を搭載して総重量を測定する重量測定部と、前記重量測定部による測定結果を基に当該遊技媒体の数量を算出して表示する表示部とから構成され、遊技者が獲得した遊技媒体を収納した複数の収納容器を搭載する簡易台車に取り付けられて、当該遊技媒体の数量を少なくとも概数で表示することを特徴とする遊技媒体数量測定装置に関する。
【００１８】
前記重量測定部、表示部の少なくともいずれか一方が、前記簡易台車を搬送するために当該簡易台車に着脱可能に取り付けられる操作ハンドル部に取り付けられてもよい。
【００１９】
本発明にかかるさらに他の態様は、複数の車輪を装備して移動可能とした床フレームと、前記床フレームに着脱可能な操作ハンドルとを備え、遊技媒体を収納した収納容器を複数搭載して保管、搬送する遊技媒体用簡易台車であって、前記搭載されている遊技媒体を収納した複数の収納容器の重量を測定する重量測定部と、前記重量部による測定結果を基に当該遊技媒体の数量を算出して少なくとも概数で表示する表示部とをさらに備えていることを特徴とする遊技媒体用簡易台車に関する。
【００２０】
本発明にかかるさらに他の態様は、遊技施設内で遊技者が獲得した遊技媒体の数量を表示するため、前記遊技媒体の概略数量を算出する算出方法であって、遊技媒体を収納した複数の収納容器の総重量を測定し、遊技媒体１個当りの重量を使用して前記総重量から遊技媒体の概略数量を算出し、前記算出結果の内、予め定められた桁以下の桁数をゼロとして表示数量とすることの各ステップを含むことを特徴とする算出方法に関する。
【００２１】
前記遊技媒体１個当りの重量を使用して前記総重量から遊技媒体の概略数量を算出するステップは、前記総重量を遊技媒体１個当り重量で除して遊技媒体の仮数量を算出し、
前記収納容器当りの許容収納数量を使用して前記仮数量を収納するために必要な収納容器数を算出し、前記収納容器数の合計重量に相当する遊技媒体の数量を算出し、前記遊技媒体の仮数量から前記収納容器数の合計重量に相当する遊技媒体の数量を差し引いて遊技媒体の概略数量とすることの各ステップを含むことができる。
【００２２】
あるいは、前記遊技媒体１個当りの重量を使用して前記総重量から遊技媒体の概略数量を算出するステップは、前記収納容器当りの許容収納数量を基に、１つの収納容器に収納された遊技媒体の数量を幅で特定し、前記測定された総重量と、前記幅で特定された１つの収納容器に収納された遊技媒体の数量とから収納容器の数量を幅で算出し、前記収納容器の数量の幅に基づいて前記総重量から前記複数の収納容器の重量を差し引いた前記遊技媒体のみの重量を幅で算出し、算出された前記遊技媒体の重量の幅から当該遊技媒体の数量を幅で算出し、前記幅の中の有効数値をもって前記遊技媒体の概略数量とすることの各ステップを含むこともできる。
【００２３】
遊技媒体を収納した前記複数の収納容器を複数の列に積み上げ、前記複数の列ごとに前記遊技媒体の概略数量を算出してその合計を表示数量としてもよい。これにより遊技媒体の概略数値の精度を高めることができる。
【発明の効果】
【００２４】
本発明の実施により、遊技者が獲得し、収納容器に収納して積み上げられた出玉数量を把握、表示することが可能となり、遊技者にとっては遊技成果の確認が容易となり、遊戯施設にとってはサービスの提供をより明瞭、積極的に遊技者、来客に宣伝する機会を提供することができるようになる。
【００２５】
さらに、盗難による急激な数量の減少を把握していち早くワーニングの発生に結びつけることができ、盗難防止に寄与することができる。
【発明を実施するための最良の形態】
【００２６】
以下、本発明の第１の実施の形態にかかるパチンコ遊技場などの遊技施設で使用される遊技媒体数量測定装置につき、図面を参照して説明する。なお、以下の各実施の形態における説明では、パチンコ玉の数量測定に関して言及するが、本発明はこれに限定されることなく、例えばスロットマシンなどで使用されるコインやその他遊技で使用されるトークンなどを含め、これら遊技媒体全般の数量測定に適用が可能である。
【００２７】
図１は、本実施の形態にかかる遊技媒体数量測定装置（以下、「出玉測定装置」という。）を示している。図において、出玉測定装置２０は、簡易台車１０の床フレーム１１に設けられた取付け穴１３に取り付け可能な門構え状の操作ハンドル部２１と、操作ハンドル部２１にそれぞれ取り付けられた重量測定部２５と、測定された重量から出玉数量を算出して表示する表示部３０とから構成されている。
【００２８】
操作ハンドル部２１は、取付け穴１３に差し込まれる一対のバー２２と、前記バーをつないで横方向に延びる操作バー２３とから構成されている。この構造は、基本的に従来の操作ハンドル１６（図６参照）と同様であってよい。
【００２９】
操作ハンドル部２１に取り付けられた重量測定部２５は、各種形式のものが使用可能であるが、本実施の形態ではロードセルを利用している。ロードセルは、従来から知られた技術であり、加えられた荷重によって圧縮、変形する測定部の歪を電気抵抗に変換して重量を検出する装置である。検出結果は、配線２４を介して表示部３０に入力される。
【００３０】
同じく操作ハンドル部２１に取り付けられた表示部３０は、一般に各種機能を果たすＣＰＵと、以下に示す各機能の動力源となるバッテリとを含む。表示部３０は、上記重量測定部２５からの入力に基づいて収納容器５内に収納されている出玉数量を算出する。そのロジックを以下に説明する。単純には、パチンコ玉の重量が１個当たり５．５ｇであることから、測定された重量結果を５．５で割って算出してもよい。しかしながら、測定重量の中には収納容器５の重量も含まれているため、これを除外して出玉数量を算出することが好ましい。収納容器５は通常、１個当たり重量が約１００ｇ、すなわちパチンコ玉約１８個分である。この重量を除外する方法は、各種考え得る。
【００３１】
一番確実なのは、センサ類を用いることであろう。収納容器５の高さは既知であることから、操作ハンドル部２１の一対のバー２２に一定の高さごとに感応型センサを設け、それぞれのバー２２のセンサが対向する位置に積み上げられた収納容器５を感知し、その高さから収納容器５の数量を求めるものである。しかしながらこの方法では、矩形状の収納容器５を各バー２２にそれぞれ対向させて積み上げる場合はよいが、横方向に延びる操作バー２３と平行に２列に配置された場合（一般にはこのような配列となる）、遠隔側の数量把握ができず、遠隔側にも別途センサを配置するなどの対応が必要となる。したがって、この方法では価格的に高価なものとなり、不利ではあるが、収納容器５の数量を確実に把握する手段とはなり得る。
【００３２】
他の方法は、遊技者、従業員自身が、収納容器５の増減のたびにこれを入力することである。この入力は、例えば表示部３０の上方に押しボタン式の入力カウンタ３５を設けることなどにより行うことができる。しかしながらこの方法では、遊技者、従業員に面倒を及ぼすこととなり、また押し忘れなどによる誤差が生じる可能性が高い。
【００３３】
本実施の形態では、これを以下のように処理するものとしている。収納容器５に出玉を収納して簡易台車に載せる場合、収納容器５をほぼ一杯に満たした状態にして積み上げられるのが常である。例えば、半分にも満たされない状態で収納容器５を次々に積み重ねられることはまずあり得ない。常識的には、満杯に対して１０％〜２０％減程度のばらつきに収まると考えられるが、より大きなばらつきがあると仮定して、満杯に対して２／３（約６７％）の水準までしか満たされずに積み上げられる場合を想定してみる。この場合、収納容器５の満杯時の収納数を２０００個とすれば、その２／３の量は約１３００個となる。収納容器５を２列×６段、あるいは３列×８段に積み上げた時の両者の出玉数量には、満杯の収納容器５を積み上げた場合と比較して以下のような大きな差が生じる（数値はいずれも２列積み上げの場合）。
＜配列＞        ＜満杯時数量＞    ＜２／３収納数量＞      ＜数量差＞
２列×６段      ２４，０００          １５，６００          ８，４００
３列×８段      ４８，０００          ３１，２００        １６，８００
【００３４】
しかしながら、この差異について考慮すべき点が２つある。１つは、満杯に対して２／３しか満たさないというのは極端な見方であり、実際にはこれほどの少量の出玉を収納した収納容器５が積み上げられることはまれであることである。すなわち、ここでは最大の差を想定しているとみてよい。そして、２つ目は、収納容器５内に収納される出玉数量にばらつきがあるといっても、２／３収納という極端に少量な収納容器５ばかりが積み上げられることはまずあり得ず、通常は満杯から２／３収納の間で適度にばらつくはずである。すなわち、上記の差異は考えうる最大限の差が生じた場合であるといえる。
【００３５】
ただし、重量測定部２５の機械的な誤差も含め、実際の出玉数と算出される数量との間に差がないとは言い切れない。本実施の形態では、このようにして生じ得る実際の数量と算出数量との間の差を、重量測定部２５で測定した総重量を利用し、出玉数量を一定の合理的な幅内に絞り込むことにより、一定の信頼度を持って出玉数量の算出を可能にしている。より具体的には、予測される誤差の範囲内で幅を持たせて出玉数量の計算を行い、その幅の中での有効な桁数までを取り上げ、それより下の桁は「０」で表示するものとしている。例えば百の位までを有効として下２桁を「００」とする、あるいは十の位までを有効として下１桁を「０」と表示する。こうすることによって最大でも１００個の誤差は生じうるが、最小の２列×１段であっても２，６００個に対する１００個（３．８％）であり、通常はこれよりも低い誤差率となることから、出玉状況を表示する目的であれば大きな問題となることはない。
【００３６】
上述した２列×６段の例における実際の算出手順は以下のように行う。数量にばらつきのある多数の出玉を収納した収納容器５の１個当たりの合計重量Ｇは
２，０００個×５．５ｇ＋１００ｇ＞Ｇ＞１，３００個×５．５ｇ×１００ｇ
の幅内にあると想定される。これを計算すると、上記不等式は、
１１，１００ｇ＞Ｇ＞９，１３０ｇ
となる。今、積み上げられた収納容器５の総重量測定結果が１１０ｋｇであったとすると、上記収納容器１個当たりの重量Ｇの幅から収納容器５の数量Ｎを求めると、
１１０，０００÷１１，１００＜Ｎ＜１１０，０００÷９，１３０
これを計算して、
９．９０＜Ｎ＜１２．０５
となる。すなわち出玉を収納した収納容器５の数は、１０個か１１個のいずれかであると推定することができる。収納容器１個の重量が１００ｇ、出玉１個の重量が５．５ｇであるから、上記結果から収納容器５の重量を差し引き、出玉のみの重量を算出して出玉数量ｎを幅で求める不等式は、
（１１００００−１００×１０）／5.5＞ｎ＞（１１００００−１００×１１）／5.5
となり、これを計算すれば、
１９，８１８＞ｎ＞１９，８００
となる。
【００３７】
上記結果に基づいて、合理的な範囲として有効数値を十の位まで採るとすれば、当該不等式から、獲得した出玉数量は「１９，８１０個」と算定することができる。この場合の誤差は最大で１０個となる。しかしながら、より安全サイドに立って、有効な単位を百の位にして下２桁を四捨五入した「１９，８００個」と表示することが好ましいであろう。なぜなら、誤差範囲が最大１００個まで広がるとしても、合計数量１９，８００個に対しては完全に無視できるレベルであり（誤差率０．５％以下）、本願目的とする遊技者への動機付け、遊技施設の宣伝効果からは、この程度の精度で十分であること、かつより安全サイドであるといえることからである。
【００３８】
ちなみに、収納容器５の数量幅を算出する上記不等式：
９．９０＜Ｎ＜１２．０５
から、ギリギリでＮ＝１２の可能性が考えられなくはない。念のためＮ＝１２、すなわち、収納容器５が１２個であったと仮定して前記の例における出玉数量を算出すると、
（１１００００−１００×１２）／５．５＝１９７８２個
となる。上述したように、安全サイドとして百の位までを有効とする「１９，８００個」と算定した場合には、収納容器５の数が万一１２個であった場合であっても、僅かな誤差範囲（この例では１８個）で先の算出結果内にカバーされていることになる。
【００３９】
なお、以上の算出方法においては、遊技者が遊技を終了する際に最後に残った中途半端な数の出玉を収納した収納容器５にかかる計算は考慮されていない。本発明の目的は、遊技者が遊技を続けている間に保管されている出玉の数量を表示することにあり、遊技終了時、あるいは終了直後の短時間のみの表示は必ずしも必要とはされない。すなわち、遊技終了時に残る半端な数量は無視してもよいものと考えている。
【００４０】
但し、上述したような安全サイドに立つ概数表示とすることにより、このような場合の数量表示においても本実施の形態にかかる出玉測定装置２０は有効に機能していることが分かる。すなわち、極端な場合であって、半端な出玉の数量が０、すなわち、空の収納容器５のみが最後に簡易台車１０の最上段に積み上げられた場合を想定してみる。上述した例において、収納容器５の数量が１０個または１１個と算出されている状態下で、最後に収納容器５が１個追加されて計１２個となる。この場合の出玉数量の算出結果は、上述した安全サイドにみて収納容器５が１２個であった場合を想定して算出した結果と同様に１９，７８２個となり、表示された「１９，８００個」の誤差範囲内に収まるものとなる。
【００４１】
他の例として、中途半端な出玉数が収納容器５の容量の半分である１，０００個であった場合を想定してみる。先の例で言えば、この中途半端な出玉数量を収納した収納容器５を遊技終了時に積み上げた後の総重量は、
１１０，０００＋１，０００×５．５＋１００＝１１５，６００ｇ
となる。上述したものと同様な計算ロジックで収納容器５の数量Ｎを幅で求めれば、
１１５，６００÷１１，１００＜Ｎ＜１１５，６００÷９，１３０
の不等式から、
１０．４１＜Ｎ＜１２．６６
が求められる。すなわち、収納容器５の数は１１個か１２個と推定される。これに基づく出玉数量ｎを幅で求める不等式は、
（１１５６００−１００×１１）／5.5＞ｎ＞（１１５６００−１００×１２）／5.5
となり、これを計算すれば、
２０，８１８＞ｎ＞２０，８００
となる。この結果から、玉数ｎは、「２０，８１０個」、より安全をみて「２０，８００個」が表示数値とされる。
【００４２】
先に算出した結果である「１９，８００個」に対し、玉数が１，０００個増えたことを正しく反映させており、かつ、収納容器１個が追加された要因による算出結果への影響が排除されていることが分かり、本計算ロジックの有効性を示している。
【００４３】
このような算出方法は、３列×８段のより多量の出玉数量を扱う場合にも有効である。例としてこの３列×８段までの条件にて測定された多数の出玉を収納した複数の収納容器の総重量が２１０ｋｇであったとする。上述したロジックにより、収納容器の数Ｎは、
２１０，０００÷１１，１００＜Ｎ＜２１０，０００÷９，１３０
から計算して、
１８．９２＜Ｎ＜２３．００
となる。これより、収納容器５の数は、安全をみて１９個から２３個のいずれかであると推定することができる。
【００４４】
これを基に、同様にして出玉のみの重量を算出して出玉数量ｎを幅で求める不等式は、
（２１００００−１００×１９）／5.5＞ｎ＞（２１００００−１００×２３）／5.5
となり、これを計算すれば、
３７，８３６＞ｎ＞３７，７６４
となる。したがって、有効な概略数量として、ｎ＝３７，８００個と表示することができる。有効な単位は百の位までであり、下２桁を００と表示している。
【００４５】
以上の計算ロジックは、１つの収納容器５内に収納可能な許容収納数量から収納容器５の数を幅で算出し、当該収納容器５の重量を比較的高い精度で除外するものとしている。これに対して誤差はやや大きくなり得るが、以下のようなより簡便な計算ロジックを用いることもできる。上述した例と同様、出玉を収納した複数の収納容器５の総重量測定結果が１１０ｋｇであったとすると、単純にこれをパチンコ玉１個の重量５．５ｇで割って出玉数を概算すると、
１１０，０００÷５．５＝２０，０００
すなわち、収納容器５の重量を無視すれば仮数量として２０，０００個の出玉があると推定できる。次に、１個当たりの収納容器５に収納できる出玉数は２，０００個であるから、上述した２０，０００個の出玉を収納するには、
２０，０００÷２，０００＝１０
すなわち、少なくとも１０個の収納容器５が必要であることがわかる。この１０個の収納容器５の重量に相当するパチンコ玉数は
１００ｇ×１０個÷５．５ｇ＝１８２個
となるから、先の仮数量である２０，０００個からこの相当分の数量を差し引くと
２０，０００−１８２＝１９，８１８
となり、即ち有効桁を百までとすれば、出玉数の概略数量は「１９，８００」個となる。これは、幅を基にして算出された先の結果と同一の概算結果となる。
【００４６】
さらには、最も簡便な計算ロジックは、収納容器５の重量を全く無視して、上述した仮数量である「２０，０００」個をそのまま使用することであろう。この場合にあっても１９，８００個に対して２００個、すなわち１％の追加誤差でしかないため、概数を表示するという本発明の趣旨からいえば問題ないともいえる。特に収納容器５の重量が１００ｇと軽量の場合には問題は小さい。ただし、数１００ｇほどの頑丈な収納容器が使用される場合には誤差幅が大きくなり、また、誤差が１００個のオーダとなって百の位（下３桁目）まで有効であると言えなくなる危険性を含み得る。
【００４７】
ちなみに、仮数量を利用する上述した簡便計算ロジックを３列×８段で総重量２１０ｋｇの場合に対して適用すると、収納容器５の重量を無視した出玉の仮数量は、
２１０，０００÷５．５＝３８，１８２
で、百の位まで有効とすれば３８，２００個となる。この収納に必要な収納容器５の数は
３８，１８２÷２，０００＝１９．１
となり、安全を見て２０個とすると、仮数量から当該２０個分の重量に相当する出玉数を差し引いた残りは
３８，１８２−（２０×１００÷５．５）＝３７，８１８
となる。ここで、百の位までを有効とすれば「３７，８００」個となって、これは先に示した同じ条件のときの概算結果と全く同様である。また、収納容器５の重量を無視した仮数量である３８，２００個をそのまま表示数量とした場合、当該概算結果との差は４００個となり、収納容器重量を全く無視することによる誤差の広がりは、１．０５％なる。
【００４８】
図１に戻って、表示部３０には表示パネル３１が設けられている。表示パネル３１は、上述のようにして算出された出玉数量の結果を表示している。その目的から、できるだけ視認性が高められるよう、電光表示にすることが好ましく、またできるだけ大きな文字で表示することが好ましい。この際、表示パネル３１に表示される出玉数量は、概略数値として下２桁または下１桁を０で表示したもので十分ではあるが、センサ類を装備して正確に出玉数量をカウントし、下１桁まで表示することも可能ではある。但し、この場合には重量測定部２５自身にも高い測定精度が要求される。（通常の測定器では３００ｋｇに対して±２６０ｇ程度の誤差が見込まれる。）
【００４９】
なお、図面では手前方向に向けて一箇所にのみ表示パネル３１が描かれているが、表示パネル３１の配置場所は任意であり、また２つ以上の表示パネル３１を備えていてもよい。図１に示す本実施の形態の表示部３０は、垂直軸の周りに旋回可能に取り付けられており、遊技者、従業員はこれを任意の方向に向けて表示することができる。
【００５０】
表示パネル３１の周囲には、図示の例ではイルミネーションランプ配列３２が配置されている。このランプ配列は、出玉数量が例えば２万個などの一定値を越えた場合に一斉に点灯または点滅し、パチンコ玉の出が好調であることを演出する。この演出は、遊技者の挑戦心を一層高めるものとなり、見物する者に対しては出玉サービスの実態をアピールする効果をより一層高められる。同ランプ配列３２の配置は、表示パネル３１の周囲には限定されず、例えば操作ハンドル部２１の一対のバー２２を含めて広い範囲に装備してより派手に点灯、点滅させることも可能である。あるいは表示部３０の上面などに大きなランプ１つを設け、点灯、点滅させることでもよい。
【００５１】
表示部３０にはさらに、アラームランプ３３が設けられている。例えば収納容器１個分の出玉が収納容器５ごと盗難に遭った場合、容器一箱分の２０００個×５．５ｇ＝１１ｋｇが一気に減量する。この大きさの重量変動は重量測定部２５で十分に把握することができ、把握と同時にアラーム３３を点灯させる。あるいはブザーなどの警報装置でもよく、両者を併用させてもよい。これによって遊技者、従業員はすぐに異常事態を発見することができ、盗難を未然に防ぐことができる。アラームランプ３３に隣接してリセットシリンダ３４が設けられており、例えばアラームランプ３３を解除したい時や遊技終了後の景品交換時などには従業員がキーを指し込んでリセットし、アラーム３３の点灯を回避できる。
【００５２】
図１に示す本実施の形態の態様では、図面からも明らかなように簡易台車は従来から用いられていたものをそのまま使用することができ、必要時にのみ本実施の形態にかかる出玉測定装置２０を装着することができる。但し、この形式では、重量測定部２５と表示部３０とが操作ハンドル部２１に取り付けられており、出玉測定装置２０全体として重量がかさみ、取り扱いが容易でなくなる。
【００５３】
その対応として、重量測定部２５を常時簡易台車１０の側に取り付けておき、表示部３０を取り付けた操作ハンドル部２１のみを必要時に追加して取り付けるようにしてもよい。この場合、配線２４は、重量測定部２５または表示部３０のいずれかに設けられたソケットなどの接続部に差し込むように構成される。こうすることにより、収納容器５の積み上げ段差が低い間は台車部分のみとして障害要素となる操作ハンドル部２１を取り付けることなく、例えば４段以上などの一定の段数に積み上げられたときに始めて表示部３０を含む操作ハンドル部２１を取り付けるように後付けすることが可能となる。
【００５４】
これに対し、図２に示す他の態様では、操作ハンドル１６が床フレーム１１に固定された形式の簡易台車１０に対し、本発明にかかる重量測定部４０と表示部３０からなる出玉測定装置２０を取り付けた状況を示している。重量測定部４０と表示部３０とは配線２４でつながれている。このように、操作ハンドル１６が一体となった形式の簡易台車１０であれば、重量測定部４０と表示部３０からなる出玉測定装置２０を予め取り付けておくことができ、便利である。図２に示す簡易台車１０は、収納容器５を３列×８段搭載可能なものである。ここで使用されている重量測定部４０（ロードセル）は、中央部分を抜き差しすることにより、長さ調整が可能であり、例えば収納容器５を２列配置にする場合にも長さを縮めて使用することが可能に構成されている。
【００５５】
なお、図では表示部３０が操作ハンドル部２１に取り付けられているが、必要であれば表示部３０も操作ハンドル部２１から切り離して別体とし、たとえば積み上げられた収納容器５の上に置いて出玉数量を表示するようにしてもよい。この場合、表示部３０と操作ハンドル部２１との間は、重量測定部４０の場合と同様にそれぞれから延びる配線２４をつなぐことによって表示部３０と重量測定部４０との接続が確保される。
【００５６】
次に、本発明にかかる第２の実施の形態の出玉測定装置について、図面を参照して説明する。図３は、本実施の形態にかかる出玉測定装置５０の概要を示している。本実施の形態では、図２に示す先の実施の形態にかかる重量測定部４０の代わりに、より軽量で取り扱いが容易な簡便測定マット５１を使用している。図示の例では、積み上げられる収納容器５の列ごとに計２枚（２列の場合）の簡便測定マット５１が簡易台車１０の上に置かれるが、この数は必要に応じて自由に増減が可能である。各簡便測定マット５１からはリード線５２が延びており、各リード線５２の先端にあるカプラ５３が、表示部３０から延びる配線２４のカプラ５５に差し込まれる。表示部３０は、双方の簡便測定マット５１から入力される重量のデータを合算して出玉数量を表示することができる。他の操作はこれまでの態様と同様である。
【００５７】
このような簡便測定マット５１を使用することにより、重量測定部（簡便測定マット５１）の搬送が楽になり、遊技場従業員による取り扱いが容易になる。しかし、より大きなメリットは、収納容器５の列ごとに重量測定を行うことに伴って出玉数量算出の信頼度を高められることにある。すなわち、複数列をまとめて重量測定して合計で収納容器の数量を算出する先の実施の形態よりも、各列ごとに重量を測定して算出する方がより高い精度で出玉数量の計算をすることが可能となる。
【００５８】
例えば、先に挙げた例において、総重量１１０ｋｇの内、一方の列（これを「Ａ列」と呼ぶ）の重量が５０ｋｇ、他方の列（これを「Ｂ列」と呼ぶ）の重量が６０ｋｇと測定されたとする。上述したものと同様のロジックにて、出玉を収納した収納容器１個の重量Ｇは、
１１，１００ｇ＞Ｇ＞９，１３０ｇ
の範囲内となるから、Ａ列における収納容器５の数量ＮＡは、
５０，０００÷１１，１００＜ＮＡ＜５０，０００÷９，１３０
の範囲となる。これを計算すれば、
４．５０＜ＮＡ＜５．４８
となり、これによってＡ列の収納容器の数ＮＡは５個であるとほぼ特定できるようになる。
【００５９】
同様にしてＢ列の収納容器５の数量ＮＢを求める不等式は、
６０，０００÷１１，１００＜ＮＢ＜６０，０００÷９，１３０
で表され、これを計算すれば、
５．４１＜ＮＢ＜６．５７
となって、Ｂ列の方の収納容器の数ＮＢは６個であるとほぼ特定できるようになる。
【００６０】
すなわち、２列を合算した総重量から収納容器５の数を算出した先の実施の形態の場合には１０個または１１個のいずれかと幅で算定されていたのに対し、Ａ列、Ｂ列の重量を個別に測定する本実施の形態では、収納容器５の合計数量は１１個（５＋６個）と、ほぼ特定することが可能となる。これによって、このときの出玉数量も、
（１１００００−１００×１１）／５．５＝１９，８００個
と特定することができる。この計算では下２桁がたまたま「００」と算出されているが、０以外の特定の数値が算出された場合においても、計算誤差を考慮して少なくとも十の位、好ましくは百の位までを有効数値とみて、それより下の桁は０で表示することが好ましい。
【００６１】
なお、上記例では重量を列ごと個別に測定することによって高い確率で収納容器５の数量を特定可能となったが、各列個別に測定した場合にあっても収納容器の数量を１つに特定し難い場合もあり得る。その場合には２列合計の総重量で計算したものと同様に不等式による範囲から数量を推定することになるが、いずれにせよ２列をまとめて総重量を測定して算出する方法に比べ、２列個別に重量を測定する算出方法の方が精度的に劣ることにはならない。
【００６２】
本実施の形態の実施のために使用可能な簡便測定マット５１として、東京都板橋区向原２丁目２３番８号の日本ダイナマット株式会社より発売されている商品名「マットスケール」が入手可能である。
【００６３】
次に、図４は、本実施の形態にかかる他の態様を示している。これまで説明してきた実施の形態では、簡易台車１０が、従来技術のものをそのままで利用できる形式のものであった。この点、追加となる設備投資を僅かに抑える意味で良好であったが、新規に簡易台車から手配するような場合、本願発明にかかる出玉測定装置の装着を当初から想定した簡易台車とすることが好ましい。図４は、そのような例を示している。
【００６４】
図４において、本態様にかかる簡易台車６０には、その床フレーム１１上に、図３で説明したような簡便測定マット５１が予め取り付けられている。そして、各簡便測定マット５１から延びる図示しないリード線は、床フレーム１１内を通り、取付け穴１３内に設けられた接続端子６２につながっている。一方、操作ハンドル部２１のバー２２の差込み部分の先端には、前記端子と接触可能な接続端子６３が設けられている。この接続端子６３は、表示部３０から延びて一対のバー２２内を通る配線２４につながっている。
【００６５】
操作ハンドル部２１を簡易台車６０の取り付け穴１３に差し込むことにより、簡便測定マット５１からなる重量測定部と表示部３０とが自動的に接続され、後はこれまで述べた出玉測定装置と全く同様に機能させることができる。
【００６６】
本態様に示す構成とすることにより、簡易台車６０の新規手配は必要となるものの、操作ハンドル部２１を予め簡易台車１０に取り付けておく必要がなく、障害物が排除されて収納容器５の積み上げが容易となり、また、他の態様で示すようなリード線のカプラを結合する煩わしさも排除され、使用が容易になるという利点を得ることができる。
【００６７】
なお、簡易台車６０に予め重量測定部を組み込む場合において、図４に示すような収納容器５の重量を各列別に測定可能な本実施の形態にかかる簡便測定マット５１を使用することのほか、先の実施の形態の図１に示すような、積み上げられる収納容器５のすべてを含めた総重量を測定する形式の重量測定部４０を配置することもできる。
【００６８】
これに対し、図２に示す他の態様では、操作ハンドル１６が床フレーム１１に固定された形式の簡易台車１０に対し、本発明にかかる重量測定部４０と表示部３０からなる出玉測定装置２０を取り付けた状況を示している。重量測定部４０と表示部３０とは配線２４でつながれている。このように、操作ハンドル１６が一体となった形式の簡易台車１０であれば、重量測定部４０と表示部３０からなる出玉測定装置２０を予め取り付けておくことができ、便利である。図２に示す簡易台車１０は、収納容器５を３列×８段搭載可能なものである。ここで使用されている重量測定部４０（ロードセル）は、中央部分を抜き差しすることにより、長さ調整が可能であり、例えば収納容器５を２列配置にする場合にも長さを縮めて使用することが可能に構成されている。
【００６９】
なお、図２では表示部３０が操作ハンドル部２１に取り付けられているが、必要であれば表示部３０も操作ハンドル部２１から切り離して別体とし、たとえば積み上げられた収納容器５の上に置いて出玉数量を表示するようにしてもよい。この場合、表示部３０と操作ハンドル部２１との間は、重量測定部４０の場合と同様にそれぞれから延びる配線２４をつなぐことによって接続が確保される。
【００７０】
次に、本発明にかかる第３の実施の形態について図５を参照して説明する。図５は、本実施の形態にかかる遊技媒体数量表示システムを示しており、当該システムは重量測定部４０を備えた簡易台車１０と、表示部３０とから構成されており、基本的にこの構成は図２に示す簡易台車１０と表示部３０とからなる出玉測定装置２０と同様である。本システムの特徴は、表示部３０と重量測定部４０とが分離し、両者が無線交信手段によって結ばれている点にある。このため、表示部３０は簡易台車１０に対して着脱可能に取り付けることができる。
【００７１】
表示部３０を着脱可能とすることのメリットは、表示部３０を簡易台車１０の操作ハンドル１６以外の任意の位置に取り付け可能となることである。表示部３０の背面には図示しない着脱式の取付け部が設けられている。簡易台車１０以外の具体的な取付け箇所として、当該簡易台車１０に搭載されている出玉を獲得した遊技者が遊技中の遊技台が挙げられる。これにより、表示部３０が遊技者の背後に位置することがなくなり、遊技者自身が自らの出玉獲得数量を視認可能となることから、遊技者の遊技継続に対する動機付けを高めることができる。
【００７２】
本実施の形態にかかる他の態様として、表示部３０を簡易台車１０と一対一に対応する単一の表示装置ではなく、他の遊技者（他の遊技台）の出玉獲得数量を含めた一覧性のある表示パネルとし、各簡易台車１０に取り付けられた重量測定部４０から送信される重量測定結果に基づいて、遊技場内全体の出玉状況を遊技施設内の所定位置にまとめて表示してもよい。個別の表示部３０が個別的な情報提供であるのに対し、当該表示パネルは遊技場入場者に対して一覧性のある一括情報を提供できるようになり、遊技施設の宣伝効果をより高めることができるようになる。
【００７３】
なお、図５では図２に示した操作ハンドル１６が一体となった簡易台車１０を示しているが、本実施の形態はこれに限定されず、例えば図１、３、４に示されるような他の簡易台車または重量測定装置と組み合わせることでもよい。また、表示部３０は、台車１０に対して1つに限定されず、複数個用意して複数個所で出玉表示することもできる。さらには、上述した一覧性パネルと表示部３０とを併用することも可能である。
【００７４】
表示部３０と重量測定部４０との間の無線交信手段は、電波到達距離を遊技施設内の短距離に限定して、法的な免許、資格、届出を必要としない特定小電力無線機器、あるいは微弱電波機器とすることが好ましい。
【００７５】
以上、本発明にかかる出玉測定装置の各実施の形態について述べてきたが、本発明は、これまで述べたような手段を用いて、出玉の概略数量を算出する算出方法をも包含している。例えば、本発明にかかる出玉数量の算出方法の一つは、
遊技媒体を収納した複数の収納容器の総重量を測定するステップと、
収納容器の許容収納数量を基に、１つの収納容器に収納された遊技媒体の数量を幅で特定するステップと、
前記測定された総重量と、前記幅で特定された１つの収納容器に収納された遊技媒体の数量とから収納容器の数量を幅で算出するステップと、
前記数量の幅に基づいて前記総重量から前記複数の収納容器の重量を差し引いた前記遊技媒体のみの重量を幅で算出するステップと、
算出された前記遊技媒体のみの重量から当該遊技媒体の数量を幅で算出するステップと、
そして、前記遊技媒体の数量の幅内で有効な桁数までを使用してそれ以下の桁数をゼロとして当該遊技媒体の数量を算出するステップとから構成されている。
【００７６】
前記算出方法をプログラム化して本発明にかかる出玉測定装置２０の表示部３０にあるＣＰＵに組み込むことにより、遊技者が獲得して簡易台車１０上に保管してある出玉の数量を、僅かな誤差範囲内で常時表示することが可能となる。
【産業上の利用可能性】
【００７７】
本発明は、遊技施設などの産業分野において広く利用することができる。
【図面の簡単な説明】
【００７８】
【図１】本発明の実施の形態にかかる遊技媒体数量測定装置の概要を示す斜視図である。
【図２】図１に示す遊技媒体数量測定装置の他の態様の概要を示す斜視図である。
【図３】本発明の他の実施の形態にかかる遊技媒体数量測定装置の概要を示す斜視図である。
【図４】図３に示す遊技媒体数量測定装置の他の態様の概要を示す斜視図である。
【図５】本発明の他の実施の形態にかかる遊技媒体数量表示システムの概要を示す斜視図である。
【図６】従来技術による収納容器と、該収納容器を搭載する簡易台車を示す斜視図である。
【符号の説明】
【００７９】
５．収納容器、  １０．簡易台車、  １１．床フレーム、  １３．取付け穴、  １６．操作ハンドル、  ２０．出玉測定装置、  ２１．操作ハンドル部、  ２５．重量測定部、  ３０．表示部、  ３２．イルミネーションランプ配列、  ３３．アラームランプ、  ４０．重量測定部、  ５０．出玉測定装置、  ５１．簡便測定マット、  ６０．簡易台車。
【図１】
2008029802.tif 000003
【図２】
2008029802.tif 000004
【図３】
2008029802.tif 000005
【図４】
2008029802.tif 000006
【図５】
2008029802.tif 000007
【図６】
2008029802.tif 000008